(57)【要約】【課題】ガイド機構の動作を安定させ、製品品質を高めることができる押しボタン装置、該押しボタン装置を備えるキーボード装置及び該キーボード装置を備える電子機器を提供する。【解決手段】押しボタン装置であるキースイッチ１４は、押しボタンであるキーキャップ３０と、ベースプレート３４と、ガイド機構３２とを備える。ガイド機構３２は、外枠部材４６と、内側部材４８とを有する。外枠部材４６は、内側部材４８が配設される内側の開口部４６ａを挟んで対向する一対の内側面４６ｄ，４６ｄのそれぞれに第１嵌合部となる軸受穴５６が設けられ、内側部材４８は、外枠部材４６の一対の内側面４６ｄ，４６ｄに対面配置される一対の外側面４８ｄ，４８ｄのそれぞれに第２嵌合部となる回転シャフト５８が設けられ、回転シャフト５８の外周面には、軸受穴５６への挿入方向に向かって外径が収縮したテーパ部５８ａが設けられている。【選択図】図３
2019185966.tif 000002
【特許請求の範囲】
【請求項１】
押しボタン装置であって、
ベース部と、該ベース部の上面に設けられたガイド機構と、該ガイド機構によって上下動可能にガイドされる押しボタンと、を備え、
前記ガイド機構は、一端部が前記ベース部に対して回転可能に支持され、他端部が前記押しボタンに対して回転可能に支持された外枠部材と、
前記外枠部材の内側で該外枠部材に対して筋交い状に連結され、一端部が前記押しボタンに対して回転可能に支持され、他端部が前記ベース部に対して回転可能に支持された内側部材と、を有し、
前記外枠部材は、前記内側部材が配設される内側の開口部を挟んで対向する一対の内側面のそれぞれに、軸受穴及び回転シャフトの一方である第１嵌合部が設けられ、
前記内側部材は、前記外枠部材の前記一対の内側面に対面配置される一対の外側面のそれぞれに、前記第１嵌合部に回転可能に嵌合される軸受穴及び回転シャフトの他方である第２嵌合部が設けられ、
前記回転シャフトの外周面には、前記軸受穴への挿入方向に向かって外径が収縮したテーパ部が設けられていることを特徴とする押しボタン装置。
【請求項２】
請求項１に記載の押しボタン装置であって、
前記回転シャフトは、根本部分に前記テーパ部が設けられ、先端部分に円柱状の軸部が設けられており、
前記回転シャフトは、前記軸部が前記軸受穴に挿入され、前記テーパ部の一部が前記軸受穴に挿入されていることを特徴とする押しボタン装置。
【請求項３】
請求項１又は２に記載の押しボタン装置であって、
前記回転シャフトは、前記テーパ部の外周面が前記軸受穴の開口縁部に対して当接していることを特徴とする押しボタン装置。
【請求項４】
請求項３に記載の押しボタン装置であって、
前記内側部材は、内側に開口部を設けた枠状部材であることを特徴とする押しボタン装置。
【請求項５】
請求項１〜４のいずれか１項に記載の押しボタン装置を複数備えることを特徴とするキーボード装置。
【請求項６】
請求項５に記載のキーボード装置であって、
隣接する前記押しボタン間を区画するフレームを備えることを特徴とするキーボード装置。
【請求項７】
請求項５又は６に記載のキーボード装置が装着された筐体と、
前記キーボード装置の各押しボタン装置に対する入力操作に応じた表示を行うディスプレイを有し、前記筐体に対して回動可能に連結されたディスプレイ筐体と、
を備えることを特徴とする電子機器。
【発明の詳細な説明】
【技術分野】
【０００１】
本発明は、押しボタン装置、該押しボタン装置を備えるキーボード装置及び該キーボード装置を備える電子機器に関する。
【背景技術】
【０００２】
パーソナルコンピュータ等の電子機器に用いられるキーボード装置は、押しボタン装置（キースイッチ）を複数並べた構成である。キーボード装置は、ベースプレート上でキーキャップを上下動可能に配設した構成が一般的である。この種のキーボード装置では、ベースプレートとキーキャップとの間にパンタグラフ構造のガイド機構を設け、キーキャップの上下動をガイドする構成がある（特許文献１参照）。
【先行技術文献】
【特許文献】
【０００３】
【特許文献１】特開２０１５−１４１８６８号公報
【発明の概要】
【発明が解決しようとする課題】
【０００４】
ところで、上記のようなパンタグラフ型のガイド機構は、外枠部材と、その内側に筋交い状に連結された内枠部材とを備える。このため、外枠部材と内枠部材との間を連結する回転シャフト及び軸受穴は、互いにある程度のがたつきを持って連結されていないとガイド機構が円滑に上下動せず、逆にがたつきが大き過ぎるとキーキャップの動作が不安定となって製品品質を低下させると共に、騒音等の原因となる。特に、上記特許文献１のように、各キーキャップ同士をフレームで区画したアイソレーション型のキーボード装置の場合、キーキャップのがたつきが大きいとキーキャップがフレームと干渉し、正常な動作が行われなくなる懸念もある。そして、このようなガイド機構のがたつきによる問題は、キーボード装置以外の押しボタン装置でも同様に起こり得る。
【０００５】
本発明は、上記従来技術の課題を考慮してなされたものであり、ガイド機構の動作を安定させ、製品品質を高めることができる押しボタン装置、該押しボタン装置を備えるキーボード装置及び該キーボード装置を備える電子機器を提供することを目的とする。
【課題を解決するための手段】
【０００６】
本発明の第１態様に係る押しボタン装置は、ベース部と、該ベース部の上面に設けられたガイド機構と、該ガイド機構によって上下動可能にガイドされる押しボタンと、を備え、前記ガイド機構は、一端部が前記ベース部に対して回転可能に支持され、他端部が前記押しボタンに対して回転可能に支持された外枠部材と、前記外枠部材の内側で該外枠部材に対して筋交い状に連結され、一端部が前記押しボタンに対して回転可能に支持され、他端部が前記ベース部に対して回転可能に支持された内側部材と、を有し、前記外枠部材は、前記内側部材が配設される内側の開口部を挟んで対向する一対の内側面のそれぞれに、軸受穴及び回転シャフトの一方である第１嵌合部が設けられ、前記内側部材は、前記外枠部材の前記一対の内側面に対面配置される一対の外側面のそれぞれに、前記第１嵌合部に回転可能に嵌合される軸受穴及び回転シャフトの他方である第２嵌合部が設けられ、前記回転シャフトの外周面には、前記軸受穴への挿入方向に向かって外径が収縮したテーパ部が設けられている。
【０００７】
このような構成によれば、ガイド機構を構成する外枠部材と内側部材とは、各回転シャフトのテーパ部が各軸受穴に食い込んだ状態で互いに回転可能に連結される。このため、回転シャフトと軸受穴との間のがたつきが、テーパ部によって前後左右上下方向で吸収され、最小限となる。その結果、ガイド機構の上下動作が安定し、騒音も抑制できるため、当該押しボタン装置の製品品質が向上する。
【０００８】
前記回転シャフトは、根本部分に前記テーパ部が設けられ、先端部分に円柱状の軸部が設けられており、前記回転シャフトは、前記軸部が前記軸受穴に挿入され、前記テーパ部の一部が前記軸受穴に挿入された構成としてもよい。そうすると、仮に外枠部材や内側部材の撓み等によってテーパ部が軸受穴から脱落した場合であっても、先端側の軸部が抜け止めとして機能し、円滑な上下動が維持される。
【０００９】
前記回転シャフトは、前記テーパ部の外周面が前記前記軸受穴の開口縁部に対して当接した構成としてもよい。そうすると、外枠部材と内側部材との間のがたつきを一層抑制できる。
【００１０】
前記内側部材は、内側に開口部を設けた枠状部材で構成してもよい。そうすると、外枠部材と共に内側部材も弾性変形可能となるため、テーパ部を軸受穴の開口縁部により適正に干渉させた状態で外枠部材と内側部材とを連結できる。その結果、ガイド機構は、外枠部材と内側部材との間のがたつきを一層抑制できると共に、製造公差や製造誤差をより確実に吸収できる。
【００１１】
本発明の第２態様に係るキーボード装置は、上記構成の押しボタン装置を複数備える。
【００１２】
隣接する前記押しボタン間を区画するフレームを備える構成としてもよい。そうすると、フレームを備えたキーボード装置であっても、上記のガイド機構によって各押しボタン装置（キースイッチ）のがたつきが抑制されることにより、各押しボタンのフレームへの干渉が防止され、キーボード装置の動作不良を抑制できる。しかも、押しボタン装置は、がたつきが抑制されるため、各押しボタンとフレームとの間の隙間を最小限に設定でき、その製品品質が一層向上する。
【００１３】
本発明の第３態様に係る電子機器は、上記構成のキーボード装置が装着された筐体と、前記キーボード装置の各押しボタン装置に対する入力操作に応じた表示を行うディスプレイを有し、前記筐体に対して回動可能に連結されたディスプレイ筐体と、を備える。
【発明の効果】
【００１４】
本発明の上記態様によれば、ガイド機構の動作を安定させ、製品品質を高めることができる。
【図面の簡単な説明】
【００１５】
【図１】図１は、本発明の一実施形態に係るキーボード装置を備える電子機器の斜視図である。
【図２】図２は、キーボード装置の構成を模式的に示す一部断面側面図である。
【図３】図３は、ガイド機構の構成を模式的に示す平面図である。
【図４】図４は、回転シャフトと軸受穴との連結構造を模式的に示す要部拡大分解斜視図である。
【図５】図５は、回転シャフトと軸受穴との連結状態を模式的に示す要部拡大平面断面図である。
【図６】図６は、変形例に係る回転シャフトと軸受穴との連結状態を模式的に示す要部拡大平面断面図である。
【図７】図７は、変形例に係る軸受穴と回転シャフトとの連結状態を模式的に示す要部拡大平面断面図である。
【図８】図８は、別の変形例に係る軸受穴と回転シャフトとの連結状態を模式的に示す要部拡大平面断面図である。
【図９】図９は、外枠部材に回転シャフトを設け、内側部材に軸受穴を設けたガイド機構の構成を模式的に示す要部拡大平面断面図である。
【発明を実施するための形態】
【００１６】
以下、本発明に係る押しボタン装置について、この装置を備えたキーボード装置及び電子機器との関係で好適な実施の形態を挙げ、添付の図面を参照しながら詳細に説明する。
【００１７】
図１は、本発明の一実施形態に係るキーボード装置１０を備える電子機器１２の斜視図である。以下では、キーボード装置１０及びこれを構成する各キースイッチ（押しボタン装置）１４について、図１に示す電子機器１２に搭載した状態での使用形態を基準とし、手前側を前、奥側を後、厚み方向を上下、幅方向を左右と呼んで説明する。
【００１８】
図１に示すように、電子機器１２は、キーボード装置１０を有する本体筐体１６と、液晶ディスプレイ等のディスプレイ装置２０ａを有するディスプレイ筐体２０とを備えたノート型ＰＣである。ディスプレイ筐体２０は、左右一対のヒンジ２２，２２により本体筐体１６に対して開閉可能に連結されている。
【００１９】
本体筐体１６の内部には、図示しない基板、演算処理装置、ハードディスク装置、メモリ等の各種電子部品が収納されている。本体筐体１６の上面には、後から前に向かって順に、キーボード装置１０、クリックボタン２３，２４，２５、クリックパッド２６が並んでいる。キーボード装置１０の略中央にはポインティングスティック２７が設けられている。
【００２０】
キーボード装置１０は、複数のキースイッチ１４を有し、各キースイッチ１４の周囲がフレーム２８で仕切られたアイソレーション型である。フレーム２８には、各キースイッチ１４のキーキャップ（押しボタン）３０が上下動可能に挿入される複数の孔部２８ａが設けられている。本実施形態の場合、キーキャップ３０及び孔部２８ａは、平面視略矩形状に形成されている。クリックパッド２６及びポインティングスティック２７は、ディスプレイ装置２０ａに表示されるカーソル（マウスポインタ）を操作するためのものであり、マウスの代わりとして操作可能な入力手段である。クリックパッド２６は、押下操作も可能なボタン構造も有し、例えば押下操作時のタッチ領域に応じた信号を出力可能である。クリックボタン２３〜２５は、クリックパッド２６又はポインティングスティック２７によるカーソル操作と連係して機能する。例えばクリックボタン２３〜２５は、それぞれ一般的なマウスでの左ボタン、中央ボタン、右ボタンに対応する。
【００２１】
次に、本実施形態に係るキーボード装置１０の具体的な構成について説明する。図２は、キーボード装置１０の構成を模式的に示す一部断面側面図であり、所定のキースイッチ１４及びその周辺部を拡大した図である。
【００２２】
図２に示すように、キーボード装置１０は、キーキャップ３０をガイド機構３２で上下動可能に支持したキースイッチ１４と、ベースプレート（ベース部）３４と、メンブレンシート３６と、バックライトシート３８とを備える。
【００２３】
ベースプレート３４は、各キースイッチ１４の取付板である。ベースプレート３４は、例えば板厚０．３ｍｍのステンレス板やアルミニウム板等、金属製の板状部材に切り起こし成形や打ち抜き成形を施したものである。ベースプレート３４の上面３４ａには、ガイド機構３２を取り付けるための係止片４０，４２がそれぞれ左右一対で前後に設けられている。前側の係止片４０は前方を向いたフック形状であり、後側の係止片４２は後方を向いたフック形状である。フレーム２８は、メンブレンシート３６の各所に形成された貫通孔を利用した係合構造やねじ構造により、ベースプレート３４の上面３４ａと固定される。
【００２４】
メンブレンシート３６は、ベースプレート３４の上面３４ａに積層されている。メンブレンシート３６は、例えば押圧された場合に接点が閉じる三層構造のスイッチシートであり、固定接点及び可動接点が重なる位置が押圧された場合に固定接点と可動接点とが密着し、これにより接点を閉じる。メンブレンシート３６は、接点が閉じた際に各キースイッチ１４に応じた信号を出力し、その結果、ディスプレイ装置２０ａに所定の文字や画像、映像等が表示される。メンブレンシート３６は、ベースプレート３４の下面３４ｂ側に積層されてもよい。
【００２５】
メンブレンシート３６とキーキャップ３０との間には、ラバードーム４４が配設されている。ラバードーム４４は、例えばシリコーンゴム等の可撓性を有する弾性材料で形成されたドーム形状部材である。ラバードーム４４は、キーキャップ３０が押下された場合にメンブレンシート３６を押圧し、キーキャップ３０の押下操作が解除された際にキーキャップ３０を元の位置に復帰させる。
【００２６】
バックライトシート３８は、ベースプレート３４の下面３４ｂに積層されている。バックライトシート３８は、例えばＰＥＴやポリカーボネート、アクリル等の透光性を有する樹脂製の光ガイドプレート等を含み、その左右中央或いは左右端部にＬＥＤ素子等の光源を有する。バックライトシート３８は、光源から発せられた光を左右方向に導き、光反射面で反射して各キーキャップ３０を裏面から照射する。バックライトシート３８に代えて、ゴム製や樹脂製の防水シートを設けてもよい。
【００２７】
図３は、ガイド機構３２の構成を模式的に示す平面図である。
【００２８】
図２及び図３に示すように、ガイド機構３２は、キーキャップ３０を上下動可能に支持するパンタグラフ構造（はさみ構造）を有し、ベースプレート３４とキーキャップ３０との間に折り畳み可能に取り付けられている。ガイド機構３２は、外枠部材４６と内側部材（内枠部材）４８とを筋交い状に連結したものである。
【００２９】
外枠部材４６は、内側の開口部４６ａに内側部材４８が配設される枠状部材であり、外形及び内形が平面視略矩形状に形成されている。外枠部材４６は、前端側に設けられた左右一対の支持軸４６ｂ，４６ｂと、後端側に設けられた左右一対の支持軸４６ｃ，４６ｃとを有する。キーキャップ３０の下面側には、前端側に左右一対の係止部５０，５０が設けられ、後端側に左右一対の軸受部５２，５２が設けられている。外枠部材４６は、例えば前側（他端部）の各支持軸４６ｂがキーキャップ３０の各係止部５０に対して回転可能に且つ前後方向に移動可能に支持され、後側（一端部）の各支持軸４６ｃ，４６ｃがベースプレート３４の各係止片４２に回転可能に且つ前後方向に移動不能に支持される。図２に示すように、ベースプレート３４は、係止片４２の後方で起立したストッパ片５４を有し、支持軸４６ｃは係止片４２とストッパ片５４との間で保持されている。外枠部材４６は、支持軸４６ｂが係止部５０に対して回転可能に且つ前後方向に移動不能に支持され、支持軸４６ｃが係止片４２に対して回転可能に且つ前後方向に移動可能に支持されてもよい。
【００３０】
内側部材４８は、内側にラバードーム４４が挿入される開口部４８ａが形成された枠状部材であって、外形が平面視略矩形状、内形が平面視略円形状に形成されている。内側部材４８は、前端側に設けられた左右一対の支持軸４８ｂ，４８ｂと、後端側に設けられた左右一対の支持軸４８ｃ，４８ｃとを有する。内側部材４８は、例えば前側（他端部）の各支持軸４８ｂがベースプレート３４の各係止片４０に回転可能に且つ前後方向に移動可能に支持され、後側（一端部）の各支持軸４８ｃ，４８ｃがキーキャップ３０の各軸受部５２に対して回転可能に且つ前後方向に移動不能に支持される。内側部材４８は、支持軸４８ｂが係止片４０に対して回転可能に且つ前後方向に移動不能に支持され、支持軸４８ｃが軸受部５２に対して回転可能に且つ前後方向に移動可能に支持されてもよい。
【００３１】
外枠部材４６及び内側部材４８は、前後方向略中央で互いに回転可能に連結されている。外枠部材４６は、開口部４６ａを挟んで対向する左右一対の内側面４６ｄ，４６ｄのそれぞれに軸受穴５６を有する。各軸受穴５６は、開口部４６ａに臨んで開口した断面円形状の穴であり、開口部４６ａ及びここに配設される内側部材４８を挟んで互いに対向している。本実施形態の場合、軸受穴５６は貫通孔ではないが（図３参照）、軸受穴５６は開口部４６ａから外枠部材４６の枠外側へと貫通した貫通孔でもよい。内側部材４８は、外枠部材４６の一対の内側面４６ｄ，４６ｄに対面配置される一対の外側面４８ｄ，４８ｄのそれぞれに回転シャフト５８を有する。各回転シャフト５８は、各外側面４８ｄから外側（枠外側）に向かって突出しており、外枠部材４６の各軸受穴５６にそれぞれ挿入されている。
【００３２】
図４は、回転シャフト５８と軸受穴５６との連結構造を模式的に示す要部拡大分解斜視図である。図５は、回転シャフト５８と軸受穴５６との連結状態を模式的に示す要部拡大平面断面図である。図４及び図５では、図３中で右側の回転シャフト５８及び軸受穴５６を代表的に図示しているが、図３中で左側の回転シャフト５８及び軸受穴５６は右側のものと左右対称構造であるため、詳細な説明は省略する。
【００３３】
図４及び図５に示すように、回転シャフト５８は、テーパ部５８ａと、軸部５８ｂとを有する。テーパ部５８ａは、外側面４８ｄと回転シャフト５８との根元部分に設けられ、軸受穴５６への挿入方向に向かって外径が収縮した先細りの環状傾斜面である。軸部５８ｂは、回転シャフト５８の先端部分に設けられ、円柱状を成している。
【００３４】
図５に示すように、テーパ部５８ａは、基端の外径Ｄ１が軸受穴５６の内径Ｄ０よりも大きく、先端の外径Ｄ２が軸受穴５６の内径Ｄ０よりも小さい。なお、軸部５８ｂは、テーパ部５８ａの先端の外径Ｄ２と同一の外径に設定されている。これにより、回転シャフト５８は、先端側の軸部５８ｂの全長が軸受穴５６に挿入され、テーパ部５８ａの一部が軸受穴５６に挿入される。
【００３５】
従って、本実施形態のガイド機構３２は、テーパ部５８ａの外周面が軸受穴５６の開口縁部５６ａに対して摺動可能に当接した状態で、内側部材４８と外枠部材４６とが回転可能に連結される（図３及び図５参照）。つまりガイド機構３２は、回転シャフト５８にテーパ部５８ａを有するため、内側部材４８と外枠部材４６とは、左右の回転シャフト５８のテーパ部５８ａの一部がそれぞれ左右の軸受穴５６に食い込んだ状態で互いに回転可能に連結される。このため、回転シャフト５８と軸受穴５６との間のがたつきが、テーパ部５８ａによって前後左右上下方向で吸収され、最小限となる。その結果、内側部材４８と外枠部材４６との間の前後左右上下方向のがたつきを可及的に抑制することができ、ガイド機構３２の上下動作が安定し、騒音も抑制できるため、キースイッチ１４（キーボード装置１０）の製品品質が向上する。
【００３６】
この際、回転シャフト５８は、テーパ部５８ａの先端（及び軸部５８ｂ）が軸受穴５６に対してある程度のがたつき（寸法公差）を持って挿入され、テーパ部５８ａの外周面と開口縁部５６ａとの干渉は線接触となる。このため、内側部材４８と外枠部材４６との間の回転動作は円滑であり、ガイド機構３２の上下動作が損なわれることもない。本実施形態の場合、回転シャフト５８及び軸受穴５６は、例えばポリアセタール（ＰＯＭ）やポリテトラフルオロエチレン（ＰＴＦＥ）のような自己潤滑性を持った材料で形成されている。このため、ガイド機構３２の動作が一層安定なものとなり、また回転シャフト５８や軸受穴５６の摩耗も少ない。
【００３７】
当該キーボード装置１０は、各キーキャップ３０間を仕切るフレーム２８を備える。このため、当該ガイド機構３２によって各キーキャップ３０のがたつきが抑制されることにより、各キーキャップ３０のフレーム２８への干渉が防止され、キーボード装置１０の動作不良を一層抑制できる。しかも、キーキャップ３０は、がたつきが抑制されるため、キーキャップ３０とフレーム２８の孔部２８ａとの間の隙間を最小限に設定できる。その結果、キーボード装置１０は、その製品品質が一層向上する。
【００３８】
本実施形態の場合、外枠部材４６だけでなく、その内側に配設される内側部材である内側部材４８についても開口部４８ａを設けた枠状部材としている。このため、テーパ部５８ａが軸受穴５６の開口縁部５６ａに干渉した状態では、互いの押圧力によって外枠部材４６が外側に膨らむように微小な弾性変形を生じると同時に、内側部材４８が内側に凹むような微小な弾性変形を生じる。その結果、ガイド機構３２は、内側部材４８と外枠部材４６との間のがたつきを一層抑制できると共に、製造公差や製造誤差をより確実に吸収できるため、上下動作が一層安定する。なお、内側部材４８は、開口部４６ａを持たない平板状の部材で構成されてもよい。
【００３９】
当該キースイッチ１４の回転シャフト５８は、テーパ部５８ａの先端側に軸部５８ｂを設けている。このため、仮に内側面４６ｄ，４６ｄ間が離間する方向に外枠部材４６が膨らんだ場合や、外側面４８ｄ，４８ｄ間が近接する方向に内側部材４８が撓んだ場合に、テーパ部５８ａが軸受穴５６から脱落した場合であっても、軸部５８ｂが軸受穴５６からの抜け止めとなる。勿論、ガイド機構３２の用途や形状、材質等によっては、テーパ部５８ａの軸受穴５６からの脱落を考慮する必要がない場合もある。そこで、このような仕様では、図６に示すように軸部５８ｂを省略し、テーパ部５８ａのみで構成した回転シャフト６０を用いてもよい。回転シャフト６０の形状は、図６に示すような円錐台形状であってもよいし、先端が尖った円錐形状であってもよい。
【００４０】
なお、本発明は、上記した実施形態に限定されるものではなく、本発明の主旨を逸脱しない範囲で自由に変更できることは勿論である。
【００４１】
上記実施形態では、回転シャフト５８（６０）のテーパ部５８ａに当接する軸受穴５６の開口縁部５６ａが直角形状に形成された構成を例示したが（図５参照）、開口縁部５６ａは、面取り形状６２（図７参照）やＲ形状６４（図８参照）で構成されてもよい。
【００４２】
上記実施形態では、ガイド機構３２は、内側部材４８に回転シャフト５８（６０）を設け、外枠部材４６に軸受穴５６を設けた構成を例示したが、図９に示すように、ガイド機構３２は、内側部材４８に軸受穴５６を設け、外枠部材４６に回転シャフト５８（６０）を設けた構成としてもよい。つまりガイド機構３２は、外枠部材４６に設けた軸受穴又は回転シャフトの一方である第１嵌合部と、内側部材４８に設けた軸受穴又は回転シャフトの他方である第２嵌合部とを回転可能に嵌合する構成において、回転シャフトにテーパ部５８ａを設けている。
【００４３】
上記実施形態では、回転シャフト５８（６０）にテーパ部５８ａを設けたガイド機構３２をキースイッチ１４に適用した構成を例示したが、ガイド機構３２は、キースイッチ１４以外の押しボタン装置に適用してもよい。例えば当該電子機器１２の場合、ガイド機構３２は、クリックボタン２３〜２５やクリックパッド２６に適用してもよい。
【符号の説明】
【００４４】
１０  キーボード装置
１２  電子機器
１４  キースイッチ
２８  フレーム
３０  キーキャップ
３２  ガイド機構
３４  ベースプレート
３６  メンブレンシート
４６  外枠部材
４６ａ，４８ａ  開口部
４６ｄ  内側面
４８  内側部材
４８ｄ  外側面
５６  軸受穴
５６ａ  開口縁部
５８，６０  回転シャフト
５８ａ  テーパ部
５８ｂ  軸部
【図１】
2019185966.tif 000003
【図２】
2019185966.tif 000004
【図３】
2019185966.tif 000005
【図４】
2019185966.tif 000006
【図５】
2019185966.tif 000007
【図６】
2019185966.tif 000008
【図７】
2019185966.tif 000009
【図８】
2019185966.tif 000010
【図９】
2019185966.tif 000011